(57)【要約】【課題】従来の雨水浸透器の機能である雨水を潤沢に有効に保水し、ゆっくりと地下へ還元すると共に、溶解性有機物の分解除去，水の活性促進等の水質浄化をも可能とすると共に、水の活性促進剤体が挿入体内からの排出される虞を少なくし、長期使用に耐え得る雨水浸透器を提供する。【解決手段】周壁４に室内から室外側に向けて拡径された多数の排水小孔５を備えた地中に配設される雨水浸透器１において、各排水小孔に挿入体９が嵌着され、該挿入体を中空貫通孔を有する合成樹脂製とし、中空貫通孔内に水の活性促進剤体が貯留され、中空貫通孔の入口部及び出口部に水の活性促進剤体の流出防止用の格子部が形成された雨水浸透器。【選択図】        図１
2004324327.tif 000002
【特許請求の範囲】
【請求項１】
周壁に室内から室外側に向けて拡径された多数の排水小孔を備えた地中に配設される雨水浸透器において、前記各排水小孔に挿入体を嵌着し、該挿入体を中空貫通孔を有する合成樹脂製とし、該中空貫通孔内に水の活性促進剤体を貯留させ、該中空貫通孔の入口部及び出口部に前記水の活性促進剤体の流出防止用の格子部を形成したことを特徴とする雨水浸透器。
【請求項２】
前記挿入体を長手方向で上下に二分割とし、前記中空貫通孔の出口部近傍部位に絞り段部を形成しことを特徴とする請求項１に記載の雨水浸透器。
【請求項３】
前記入口格子部を栓体に構成したことを特徴とする請求項２に記載の雨水浸透器。
【発明の詳細な説明】
【０００１】
【発明の属する技術分野】
本発明は、周壁に室内から室外側に向けて拡径された多数の排水小孔を備えた地中に配設される雨水浸透器に関するものである。
【０００２】
【従来の技術】
従来，周壁に多数の排水小孔を備えた地中に配設される雨水浸透器の外周に透水性シート材を介在させて浸透器の外周からの砕石等が排水小孔へ侵入するのを防止しているものがある（例えば、特許文献１参照。）。
【０００３】
【特許文献１】
特開平１０ー１６８９８４号公報
【０００４】
【発明が解決しようとする課題】
ところで、上記従来のものでは、浸透器の排水小孔への砕石等の侵入を防止して浸透器の透水性を維持させて長期間継続的に浸透機能を発揮させるものであるが、該浸透器から放出される雨水については格別の配慮がなされたものではなく、雨水は活性化されることなく浸透器から放出されるのであり、雨水の水質浄化には格別に役立つものではない。
【０００５】
本発明は、従来の技術の有するこのような問題点に鑑みてなされたものであり、その目的とするところは、従来の雨水浸透器の機能である雨水を潤沢に有効に保水し、ゆっくりと地下へ還元すると共に、溶解性有機物の分解除去，水の活性促進等の水質浄化をも可能とすると共に、水の活性促進剤体が挿入体内からの排出される虞を少なくし、長期使用に耐え得る雨水浸透器を提供しようとするものである。
【０００６】
そして、浸透器の周壁において雨水を充分にどよませて、雨水と活性促進剤体との接触を増巾させ雨水の浄化を更に促進させると共に挿入体を二分割体で構成することによりその製作を容易にし、且つ水の活性促進剤体の挿入体内への装填を容易にする雨水浸透器を提供しようとするものである。
【０００７】
また、浸透器の長期使用で挿入体内の活性促進剤体の変位による詰まりや汚物の滞留による活性促進剤体の汚れを防止するために、活性促進剤体の清掃を容易にし、また、水の活性促進剤体の交換を可能とする雨水浸透器を提供しようとするものである。
【０００８】
【課題を解決するための手段】
上記目的を達成するために、本発明における雨水浸透器は、その周壁に形成した各排水小孔に挿入体を嵌着し、該挿入体を中空貫通孔を有する合成樹脂製とし、該中空貫通孔内に水の活性促進剤体を貯留させ、該中空貫通孔の入口部及び出口部に前記水の活性促進剤体の流出防止用の格子部を形成したことを特徴とするものである。
【０００９】
また、前記挿入体を長手方向で上下に二分割とし、前記中空貫通孔の出口部近傍部位に絞り段部を形成しことを特徴とするものである。
【００１０】
また、前記入口格子部を栓体に構成したことを特徴とするものである。
【００１１】
【発明の実施の形態】
図１は本発明に係る雨水浸透器の断面図である。
【００１２】
図において、１は雨水浸透器であり、該雨水浸透器１の雨水浸透桝本体２は、コンクリート製の四角形状の複数のブロック体３（例えば二段）を重ねたものからなり、該ブロック体３の周壁４，４，…には雨水を桝本体２内から地中へ浸透させる多数の排水小孔５，５，…が形成されている。  そして、排水小孔５は雨水が浸透器１から地中へ浸透しやすいように内側の孔径から下方向に外側の孔径が徐々に拡径されている。また、浸透桝本体２の開口上部には、蓋体６を設けたブロック体７が設けられ、浸透桝本体２の開口下部は底体８によって閉塞されている。
なお、前記底体８にも多数の排水小孔を形成することも可能である。
【００１３】
そして前記排水小孔５，５，…の各孔内には、合成樹脂製で外形が各排水小孔５にがたつくことなく正確に嵌着されるような形状の挿入体９が挿着されている。そして、前記挿入体９は中空貫通孔１０を有し、該中空貫通孔１０内に水の活性促進剤体１１を貯留させる。また、前記中空貫通孔１０の入口部及び出口部には前記水の活性促進剤体１１の流出を防止するための格子部１２，１３が形成されている。
【００１４】
前記水の活性促進剤体１１としては、光合成細菌と活性ビタミン等を混合させたバクテリア添加剤，木炭片，パーム繊維等が挙げられ、これらのいずれかによって雨水の活性促進を図るものである。
【００１５】
以上のような構成からなる雨水浸透器１において、雨水浸透桝本体２の各排水小孔５内には水の活性促進剤体１１を貯留させた挿入体９を各排水小孔５に嵌着させるだけで簡単，容易に雨水浸透器１を構成することができる。
そして、この雨水浸透器１は従来の雨水浸透桝の機能である雨水を潤沢に有効に保水し、ゆっくりと地下へ還元すると共に、溶解性有機物の分解除去，水の活性促進等の水質浄化をも可能とする。また、前記挿入体９が合成樹脂製で構成されているので錆びることなく長期の使用に耐え、しかもその入口部及び出口部を格子部１２，１３が形成されているので、挿入体９内に貯留されている水の活性促進剤体１１が該挿入体９から排出される虞も少ない。
【００１６】
なお、本実施例では雨水浸透器１は雨水浸透桝で実施しているが、桝以外にも雨水浸透Ｕ字溝，雨水浸透井戸等で実施することも可能である。
【００１７】
図２及び図３は本発明に係る雨水浸透器１に用いるのに適した挿入体９を示すものであり、図２は挿入体の組立説明図、図３は挿入体の下部の分割体の平面図である。
【００１８】
図において、挿入体４はその長手方向で上下に二分割体１４，１５とされ、該下部の分割体１５には前記格子部１２，１３が一体成形され、各格子部１２，１３の上端には前記上部の分割体１４の入口部及び出口部の開口の上端に形成された凸部１６，１７が挿着係止される凹部１８，１９が形成されている。また、前記挿入体９の中空貫通孔１０の出口部近傍部位には絞り段部２０が形成されている。
【００１９】
従って、挿入体９の構成を上記のようにすることで、前記水の活性促進剤体１１を挿入体９の中空貫通孔１０内に容易に貯留させることができると共に、絞り段部２０を形成したことで雨水を充分どよませて雨水と活性促進剤体１１との接触を増巾させて雨水の浄化を更に促進させることができる。しかも、挿入体９を二分割体１４，１５で構成することによりその製作を容易にし、且つ水の活性促進剤体１１の挿入体９内への装填を容易にする
【００２０】
図４は本発明に係る挿入体９の他の実施例に関するものであり、図４は挿入体の組立説明図である。
【００２１】
この実施例では前記挿入体９の入口格子部１２を栓体２１とし、該栓体２１は栓部２２が中空円筒体で蓋部２３と接着する面に格子２４が形成されている。
他の構成要件は先の実施例と実質的に同一であるので同一符号を付してその説明を省略する。
【００２２】
挿入体９の形状を上記のようにすることで、前記水の活性促進剤体１１が挿入体９の中空貫通孔１０内により容易に貯留，交換することができると共に、浸透器１の長期使用で挿入体９内の水の活性促進剤体１１の変位による詰まりや汚物の滞留による水の活性促進剤体１１の汚れを防止するために、水の活性促進剤体１１の清掃が容易にすることができるようになる。
【００２３】
【発明の効果】
本発明の請求項１の雨水浸透器によれば、従来の雨水浸透器の機能である雨水を潤沢に有効に保水し、ゆっくりと地下へ還元すると共に、溶解性有機物の分解除去，水の活性促進等の水質浄化をも可能とすると共に、水の活性促進剤体が挿入体内からの排出される虞を少なくし、長期使用に耐え得る雨水浸透器となる。
【００２４】
また、請求項２の雨水浸透器によれば、上記の効果に加え、浸透器の周壁において雨水を充分にどよませ雨水と活性促進剤体との接触を増巾させ雨水の浄化を更に促進させると共に、製作が容易で、水の活性促進剤体の装填も容易な雨水浸透器となる。
【００２５】
また、請求項３の雨水浸透器によれば、上記の効果に加え、浸透器の長期使用で挿入体内の活性促進剤体の変位による詰まりや汚物の滞留による活性促進剤体の汚れを防止するために、活性促進剤体の清掃を容易にし、また、水の活性促進剤体の交換を可能とする雨水浸透器となる。
【図面の簡単な説明】
【図１】図１は本発明の一実施例に係る雨水浸透器の断面図である。
【図２】図２は本発明に係る挿入体の組立説明図である。
【図３】図３は挿入体の下部の分割体の平面図である。
【図４】図４は本発明の他の実施例に係る挿入体の組立説明図である。
【符号の説明】
１              雨水浸透器
４              周壁
５              排水小孔
９              挿入体
１０            中空貫通孔
１１            水の活性促進剤体
１２，１３      格子部
１４，１５      分割体
２０            絞り段部
２１            栓体
【図１】
2004324327.tif 000003
【図２】
2004324327.tif 000004
【図３】
2004324327.tif 000005
【図４】
2004324327.tif 000006